(57)【要約】【課題】糞尿や、掘削残土及び木製廃材等の産業廃棄物を有効に利用して各種の植物を育成するのに寄与できるようにすることを課題とする。【解決手段】糞尿を脱水した固形物７を、無数の木材チップを入れて微生物によって分解処理する分解処理槽８にｐＨ調整剤９とともに投入して生物分解処理し、この処理で使用した木材チップ１０を定期的に新しい木材チップと交換し、交換した使用済みの木材チップ１０を掘削残土１１と攪拌混合し、この混合廃棄物１３を、育苗土や堆肥等の植物育成材として農地等で使用するようにした。【選択図】  図１
2004313088.tif 000002
【特許請求の範囲】
【請求項１】
糞尿を脱水して残存した固形物を、無数の木材チップを入れて微生物によって分解処理する分解処理槽にｐＨ調整剤とともに投入して生物分解処理し、この処理で使用した木材チップを定期的に新しい木材チップと交換し、交換した使用済みの木材チップを掘削残土とともに混合し、この混合した混合廃棄物を、育苗土や堆肥等の植物育成材として農地等で使用するようにしたことを特徴とする糞尿等の処理方法。
【請求項２】
混合廃棄物が、使用済みの木材チップと掘削残土とに、さらに木製廃材を加えて混合したものであることを特徴とする請求項１記載の糞尿等の処理方法。
【発明の詳細な説明】
【０００１】
【産業上の利用分野】
本発明は、糞尿や、残土や廃材等の産業廃棄物を有効に利用できるようにした糞尿等の処理方法に関する。
【０００２】
【従来の技術】
一般に各家庭等の水洗トイレから排出される糞尿は、図２に示すように下水道１を介して下水処理場２に送られ、他の汚水とともに活性汚泥処理され、処理水を河川に放流し、また汚泥スラリーを脱水装置によって脱水ケーキにし、この脱水ケーキを堆肥等にして農地で使用したり、汚泥焼却炉に投入して焼却処分したりしている。また、各家庭等からバキュームカーで汲み取った人間の糞尿、或いは牛舎等から家畜の糞尿は、糞尿処理場に輸送し、メタン発酵槽で発生するメタンガスをガスボンベに充填して熱エネルギ源として利用したり、アンモニア回収設備でアンモニア水を摂取したり、また発酵槽で堆肥発酵させて堆肥として田畑で使用されている。
【０００３】
また、建設現場等においては、基礎工事等のために地盤を掘削するが、その際の大量の掘削残土や、建物の解体現場等からの廃材の処分は、埋立造成地等に投棄したり、木製廃材であれば燃やして処分したりしている。
【０００４】
また、糞尿や産業廃棄物を処理する方法としては、下記のような特許文献に開示のものなどが提案されている。
【０００５】
【特許文献１】特開２００３−０９６４５２号公報
【特許文献２】特開２００２−１７７９９５号公報
【特許文献３】特開２００３−１０８９７号公報
【０００６】
【発明が解決しようとする課題】
しかしながら、各家庭等の水洗トイレから日々流される大量の糞尿を他の汚水とともに下水処理場で処理するには、各処理設備の規模を大きくしなければならず、新規の下水処理場を建設する場合に公共工事費が増大し、市・県民税等に跳ね帰って住民の負担増になり問題であった。また、また、木製廃材を燃やして処分した場合、大気汚染の要因の一つになり問題であった。また、糞尿と産業廃棄物とを同時に処理して有効利用できるような発明も、上記特許文献をはじめ本願出願前には見出せなかった。
【０００７】
本発明は上記のような点に鑑みて開発されたものであって、その目的とするところは、糞尿や、掘削残土及び木製廃材等の産業廃棄物を有効に利用して各種の植物を育成するのに寄与できるようにした糞尿等の処理方法を提供することにある。
【０００８】
【課題を解決するための手段】
本発明は上記した目的を有効に達成するために、次のような構成にしてある。すなわち、請求項１に記載の本発明の糞尿等の処理方法は、糞尿を脱水して残存した固形物を、無数の木材チップを入れて微生物によって分解処理する分解処理槽にｐＨ調整剤とともに投入して生物分解処理し、この処理で使用した木材チップを定期的に新しい木材チップと交換し、交換した使用済みの木材チップを掘削残土とともに混合し、この混合した混合廃棄物を、育苗土や堆肥等の植物育成材として農地等で使用するようにしたことを特徴とする。
【０００９】
請求項２に記載の本発明の糞尿等の処理方法は、請求項１記載の糞尿等の処理方法において、混合廃棄物が、使用済みの木材チップと掘削残土とに、さらに木製廃材を加えて混合したものであることを特徴とする。
【００１０】
【発明の実施の形態】
以下、本発明の実施の形態を説明する。
各家庭等の汲み取り式のトイレの糞尿の貯留槽からバキュームカーで糞尿を吸引収集する。図１に示すように収集した糞尿３を脱水処理機４で脱水し、脱水した水分はアンモニア水回収設備５に供給してアンモニア水６を回収する。
【００１１】
一方、脱水して残存した固形物７は、分解処理槽８に投入して微生物により生物分解処理する。すなわち、糞尿３を脱水処理機４で脱水した際に残存する固形物７を分解処理槽８に投入して生物分解処理を行う場合、微生物の生息に悪影響を及ぼすのを防止するために、槽内を中和する必要がある。そこで、ｐＨ調整剤９を上記固形分７とともに分解処理槽８に投入する。このｐＨ調整剤９としては、有機酸類、炭酸塩類、またはリン酸類等が使用される。
【００１２】
上記分解処理槽８には微生物の棲家となる無数の木材チップ（杉の間伐材等を細かくカットした切り屑）が入れられており、この槽内に上記固形分７を投入し、槽内を一定温度に保つとともに水を適宜供給して攪拌羽根でゆっくり攪拌する。このようにして一定時間処理することにより、上記固形分７は生物分解される。
【００１３】
上記分解処理槽８で使用された木材チップ１０は、微生物の生息環境を良好に保つために定期的に新しい木材チップと交換する。この交換した使用済みの木材チップ１０（及び生物分解されずに残った残渣等）は、建築現場等から廃棄される掘削残土１１とともに混合機１２に投入して攪拌混合する。
【００１４】
上記混合機１２から排出される木材チップと掘削残土との混合廃棄物１３は、育苗土や堆肥等の植物育成材として農地等に撒いたり敷き詰めたりして使用し、各種の植物を育成するのに利用する。
【００１５】
また、建物の解体によって発生する産業廃棄物である木製廃材１４を、上記使用済みの木材チップ１０と掘削残土１１とに加えて混合機１２で混合し、この混合廃棄物１３を上記と同様に育苗土や堆肥等の植物育成材として農地等に撒いたり敷き詰めたりして使用し、各種の植物を育成するのに利用することによって、廃材も有効に利用することができる。
なお、産業廃棄物は、掘削残土１１、木製廃材１４以外のもので植物育成材となり得るものであれば、如何なるものを本発明における処理方法に使用するも自由である。また、混合機１２での各投入材料の配合割合は、混合廃棄物１３の性状等を吟味して取り決めればよい。
【００１６】
【発明の効果】
このように本発明の糞尿等の処理方法では、バキュームカー等で集めた糞尿を生物処理によって分解処理し、この処理に使用した木材チップと、産業廃棄物の一つとして日々大量に発生する掘削残土とを混合して混合廃棄物を作り、この混合廃棄物を育苗土や堆肥等の植物育成材として農地等で使用できるので、掘削残土や使用済みの木材チップを廃棄することなく有効に活用できる。そして他の汚水とともに処理される糞尿の処理設備も大規模にする必要もなくなり、設備コストを低減できるとともに税制面での住民への負担も軽減することができる。
【００１７】
また、木材チップと掘削残土に、さらに木製廃材を加えて混合機で混合して混合廃棄物として育苗土や堆肥等の植物育成材として農地等で使用できるので、植物の育成にも寄与でき、また木製廃材を燃やして処分することもなく、大気汚染等の環境への悪影響もなくすことができる。
【図面の簡単な説明】
【図１】本発明の糞尿等の処理方法の実施の一形態を示す説明図である。
【図２】従来の糞尿の処理を示す簡略の説明図である。
【符号の説明】
３    糞尿
４    脱水処理機
７    固形物
８    分解処理槽
９    ｐＨ調整剤
１０  木材チップ
１１  掘削残土
１２  混合機
１３  混合廃棄物
１４  木製廃材
【図１】
2004313088.tif 000003
【図２】
2004313088.tif 000004